【手続補正書】
【提出日】平成24年2月10日(2012.2.10)
【手続補正１】
【補正対象書類名】明細書
【補正対象項目名】発明の名称
【補正方法】変更
【補正の内容】
【発明の名称】表示制御装置、撮像装置、制御方法、プログラム、及び記録媒体
【手続補正２】
【補正対象書類名】明細書
【補正対象項目名】０００１
【補正方法】変更
【補正の内容】
【０００１】
本発明は、表示画像の切り替え制御を行う表示制御装置、撮像装置、制御方法、プログラム、及び記録媒体に関する。
【手続補正３】
【補正対象書類名】明細書
【補正対象項目名】０００６
【補正方法】変更
【補正の内容】
【０００６】
本発明の目的は、確実且つ素早く所望の画像を検索することを可能とした表示制御装置、撮像装置、制御方法、プログラム、及び記録媒体を提供することにある。
【手続補正４】
【補正対象書類名】明細書
【補正対象項目名】０００７
【補正方法】変更
【補正の内容】
【０００７】
上記目的を達成するために、本発明は、複数の画像を表示部に同時に表示する第１の表示モードと、該表示部に該第１の表示モードで表示されるよりも多くの画像を該第１の表示モードで表示される画像よりも小さく表示する第２の表示モードとを少なくとも含む複数の表示モードのうち、画像送りを指示するための特定の操作部材に対する操作方法に応じた表示モードにおいて画像送りを行うよう制御する表示制御手段と、前記特定の操作部材に対する操作の終了後にも画像送りを行うように制御する第１の制御手段と、前記第２の表示モードにおいて、前記第１の制御手段によって操作終了後に画像送りが行われている際に、前記第２の表示モードから前記第１の表示モードに切り替え、継続して残りの画像送りを行うように制御する第２の制御手段とを備えることを特徴とする。
【手続補正５】
【補正対象書類名】明細書
【補正対象項目名】０００８
【補正方法】変更
【補正の内容】
【０００８】
本発明によれば、画像送りを指示するための特定の操作部材に対する操作方法に応じた表示モードにおいて画像送りを行うなどの制御を行うため、確実且つ素早く所望の画像を検索することが可能となると共に、表示部の視認性を向上させることが可能となる。
【手続補正６】
【補正対象書類名】明細書
【補正対象項目名】００４６
【補正方法】変更
【補正の内容】
【００４６】
ロータリエンコーダ３０９は、回転可能な操作部材であり、方向ボタン３０５〜３０８と共に項目を指示する指示枠の移動に使用される。本実施の形態では、ロータリエンコーダ３０９により指示枠を移動させる時は、ロータリエンコーダ３０９が回転動作を続け入力が連続的に行われている限りは、複数の項目による列の端の項目上で指示枠は止まりそれ以上は動かない。しかし、ロータリエンコーダ３０９の回転を一旦停止させ、一瞬の間隔を空けて再びロータリエンコーダ３０９を同じ方向に回転操作した場合には、列の反対側の端の項目へ指示枠が移動する。
【手続補正７】
【補正対象書類名】明細書
【補正対象項目名】００７１
【補正方法】変更
【補正の内容】
【００７１】
次に、システム制御部５０は、シングル再生モードでのホイール操作に応じた画像送り処理を行う（ステップＳ２１２）。ホイール操作に応じた画像送り処理では、画像表示部２８に表示した画像を画面内で送る方向を示すアニメーション効果を付して画像送りを行う。
【手続補正８】
【補正対象書類名】明細書
【補正対象項目名】００８０
【補正方法】変更
【補正の内容】
【００８０】
図７において、本処理は、撮像装置のシステム制御部５０が不揮発性メモリ５６に格納されたプログラムをメモリ５２に展開して実行することにより実現される。システム制御部５０は、本処理を開始すると図８に示すＡｃｃプレイモードの状態１（第１の表示モード）での画像送りを行う（ステップＳ３０１）。
【手続補正９】
【補正対象書類名】明細書
【補正対象項目名】００８８
【補正方法】変更
【補正の内容】
【００８８】
上記ステップＳ３０１のＡｃｃプレイモードの状態１における画像送りにより１枚画像を切り替えるとホイールイベントを１つ消費する。次に、システム制御部５０は、使用者によりホイール操作が行われたか否かを判定する（ステップＳ３０２）。ホイール操作が行われたと判定した場合、後述のステップＳ３０３に進む。ホイール操作が行われていないと判定した場合、システム制御部５０は、使用者により上下キー（上ボタン３０７或いは下ボタン３０８）が操作されたか否かを判定する（ステップＳ３１２）。
【手続補正１０】
【補正対象書類名】明細書
【補正対象項目名】００９３
【補正方法】変更
【補正の内容】
【００９３】
次に、システム制御部５０は、メモリ３０に格納されているホイールイベント数が予め設定してある閾値２（第１の操作量）を超えているか否かを判定する（ステップＳ３０４）。閾値２は例えば１０程度である。ホイールイベント数が閾値２を超えていないと判定した場合、ステップＳ３０１に戻り、処理を繰り返す。ホイールイベント数が閾値２を超えていると判定した場合、システム制御部５０は、Ａｃｃプレイモードを状態１から状態２（第２の表示モード）へ遷移させ、Ａｃｃプレイモードの状態２での画像送りを行う（ステップＳ３０５）。
【手続補正１１】
【補正対象書類名】明細書
【補正対象項目名】０１１９
【補正方法】変更
【補正の内容】
【０１１９】
図１２において、本処理は、撮像装置のシステム制御部５０が不揮発性メモリ５６に格納されたプログラムをメモリ５２に展開して実行することにより実現される。システム制御部５０は、本処理を開始すると、記録媒体２００に記録されている撮影画像の枚数が１枚より多いか否かを判定する（ステップＳ５０１）。撮影画像の枚数が１枚以下の場合は、本処理を終了する。撮影画像の枚数が１枚より多い場合は、システム制御部５０は、使用者により行われた操作が上キー（上ボタン３０７）による日付戻りを指示する操作だったか否かを判定する（ステップＳ５０２）。
【手続補正１２】
【補正対象書類名】特許請求の範囲
【補正対象項目名】全文
【補正方法】変更
【補正の内容】
【特許請求の範囲】
【請求項１】
複数の画像を表示部に同時に表示する第１の表示モードと、該表示部に該第１の表示モードで表示されるよりも多くの画像を該第１の表示モードで表示される画像よりも小さく表示する第２の表示モードとを少なくとも含む複数の表示モードのうち、画像送りを指示するための特定の操作部材に対する操作方法に応じた表示モードにおいて画像送りを行うよう制御する表示制御手段と、
前記特定の操作部材に対する操作の終了後にも画像送りを行うように制御する第１の制御手段と、
前記第２の表示モードにおいて、前記第１の制御手段によって操作終了後に画像送りが行われている際に、前記第２の表示モードから前記第１の表示モードに切り替え、継続して残りの画像送りを行うように制御する第２の制御手段と
を備えることを特徴とする表示制御装置。
【請求項２】
前記第１の制御手段は、前記特定の操作部材に対する操作の終了後に、前記特定の操作部材に対して行われた操作に応じた画像送りすべき枚数の画像送りを行うように制御し、
前記第２の制御手段は、前記第２の表示モードにおいて、前記第１の制御手段によって操作終了後に画像送りが行われている際に、残りの画像送りすべき枚数が所定枚数以下となると、前記第２の表示モードから前記第１の表示モードに切り替え、継続して残りの画像送りすべき枚数の画像送りを行うように制御することを特徴とする請求項１に記載の表示制御装置。
【請求項３】
前記特定の操作部材の操作量を記憶手段に記憶するよう制御する記憶制御手段を更に備え、
前記画像送りすべき枚数は、前記記憶手段に記憶された前記操作量に基づいて決定されることを特徴とする請求項２に記載の表示制御装置。
【請求項４】
前記複数の表示モードは、表示部に１枚の画像を表示する第３の表示モードを更に含み、
前記表示制御手段は、前記特定の操作部材に対して行われた操作量が所定値未満である場合には、前記第３の表示モードにおいて画像送りを行うよう制御することを特徴とする請求項１または２に記載の表示制御装置。
【請求項５】
前記第１の表示モードの際に、少なくとも前記特定の操作部材に対する操作を含む所定の操作が所定時間なされていないか否かを判定する無操作判定手段と、
前記無操作判定手段によって前記所定の操作が所定時間なされていないと判定すると、前記第３の表示モードに切り替えるモード切替手段と
を更に備えることを特徴とする請求項４に記載の表示制御装置。
【請求項６】
所定のボタン操作部材が押下されたか否かを判定するボタン操作判定手段を更に備え、
前記ボタン操作判定手段によって前記第１の表示モードの際に前記ボタン操作部材が押下されたと判定すると、前記表示制御手段は、該第１の表示モードにおいて該ボタン操作部材が押下された回数分の枚数の画像送りを行うよう制御することを特徴とする請求項４または５に記載の表示制御装置。
【請求項７】
前記特定の操作部材の操作に基づいて行う前記第３の表示モードにおける画像送りの際には、前記表示部に表示した画像を送る方向を示すアニメーション効果を付して画像送りを行い、前記ボタン操作部材の操作に基づいて行う前記第３の表示モードにおける画像送りの際には、該アニメーション効果を付さずに画像送りを行うことを特徴とする請求項６に記載の表示制御装置。
【請求項８】
前記第１の表示モードの際に、第２の操作部材への操作に応じて、前記第１の表示モードで表示されている複数の画像のうちの現在選択されている画像を、特定の属性情報が関連付けられた画像に切り替える画像切替手段
を更に備えることを特徴とする請求項１乃至７のいずれか１項に記載の表示制御装置。
【請求項９】
前記特定の属性情報は、前記画像切替手段によって切り替えられる前に前記第１の表示モードで表示されていた画像の日時情報の日付と同じ日付のうち先頭の時間の日時情報であることを特徴とする請求項８に記載の表示制御装置。
【請求項１０】
前記特定の属性情報は、前記画像切替手段によって切り替えられる前に前記第１の表示モードで表示されていた画像の日時情報の次の日付のうち先頭の時間の日時情報であることを特徴とする請求項８に記載の表示制御装置。
【請求項１１】
前記特定の操作部材は、ロータリエンコーダ、リニアエンコーダ、タッチセンサ、タッチパネル、トラックボールのいずれかであることを特徴とする請求項１乃至１０のいずれか１項に記載の表示制御装置。
【請求項１２】
前記表示制御手段は、前記第１の表示モードと前記第２の表示モードにおける画像送りを、前記表示部に表示した画像を画面内で送る方向を示すアニメーション効果を付して行うように制御することを特徴とする請求項１乃至１１のいずれか１項に記載の表示制御装置。
【請求項１３】
撮像手段を有する撮像装置であることを特徴とする請求項１乃至１２のいずれか１項に記載の表示制御装置。
【請求項１４】
複数の画像を表示部に同時に表示する第１の表示モードと、該表示部に該第１の表示モードで表示されるよりも多くの画像を該第１の表示モードで表示される画像よりも小さく表示する第２の表示モードとを少なくとも含む複数の表示モードのうち、画像送りを指示するための特定の操作部材に対する操作方法に応じた表示モードにおいて画像送りを行うよう制御する表示制御工程と、
前記特定の操作部材に対する操作の終了後にも画像送りを行うように制御する第１の制御工程と、
前記第２の表示モードにおいて、前記第１の制御工程によって操作終了後に画像送りが行われている際に、前記第２の表示モードから前記第１の表示モードに切り替え、継続して残りの画像送りを行うように制御する第２の制御工程と
を有することを特徴とする表示制御装置の制御方法。
【請求項１５】
コンピュータを、請求項１乃至１３のいずれか１項に記載された表示制御装置の各手段として機能させるプログラム。
【請求項１６】
コンピュータを、請求項１乃至１３のいずれか１項に記載された表示制御装置の各手段として機能させるプログラムを格納したコンピュータが読み取り可能な記憶媒体。
【請求項１７】
複数の画像を表示部に同時に表示する第１の表示モードと、該表示部に該第１の表示モードで表示されるよりも多くの画像を該第１の表示モードで表示される画像よりも小さく表示する第２の表示モードと、該表示部に１枚の画像を表示する第３の表示モードとを少なくとも含む複数の表示モードのうち、画像送りを指示するための特定の操作部材に対する操作方法に応じた表示モードにおいて画像送りを行うよう制御する表示制御手段と、
前記第１の表示モードの際に、少なくとも前記特定の操作部材に対する操作を含む所定の操作が所定時間なされていないか否かを判定する無操作判定手段と、
前記無操作判定手段によって前記所定の操作が所定時間なされていないと判定すると、前記第１の表示モードから前記第３の表示モードに切り替えるモード切替手段と
を備えることを特徴とする表示制御装置。
【請求項１８】
前記表示制御手段は、前記特定の操作部材に対して行われた操作量が所定値未満である場合には、前記第３の表示モードにおいて画像送りを行うよう制御することを特徴とする請求項１７に記載の表示制御装置。
【請求項１９】
前記特定の操作部材と異なる操作部材である所定のボタン操作部材が押下されたか否かを判定するボタン操作判定手段を更に備え、
前記ボタン操作判定手段によって前記第１の表示モードの際に前記ボタン操作部材が押下されたと判定すると、前記表示制御手段は、該第１の表示モードにおいて該ボタン操作部材が押下された回数分の枚数の画像送りを行うよう制御することを特徴とする請求項１７または１８に記載の表示制御装置。
【請求項２０】
複数の画像を表示部に同時に表示する第１の表示モードと、該表示部に該第１の表示モードで表示されるよりも多くの画像を該第１の表示モードで表示される画像よりも小さく表示する第２の表示モードと、該表示部に１枚の画像を表示する第３の表示モードとを少なくとも含む複数の表示モードのうち、画像送りを指示するための操作部材に対する操作方法に応じた表示モードにおいて画像送りを行うよう制御する表示制御工程と、
前記第１の表示モードの際に、少なくとも前記特定の操作部材に対する操作を含む所定の操作が所定時間なされていないか否かを判定する無操作判定工程と、
前記無操作判定工程によって前記所定の操作が所定時間なされていないと判定すると、前記第１の表示モードから前記第３の表示モードに切り替えるモード切替工程と
を有することを特徴とする表示制御装置の制御方法。
【請求項２１】
コンピュータを、請求項１７乃至１９のいずれか１項に記載された表示制御装置の各手段として機能させるプログラム。
【請求項２２】
コンピュータを、請求項１７乃至１９のいずれか１項に記載された表示制御装置の各手段として機能させるプログラムを格納したコンピュータが読み取り可能な記憶媒体。